(57)【要約】      （修正有）【課題】携帯性に優れ、より抵抗感が少ない状態において利用できる携帯情報端末機器および当該携帯情報端末機器に用いるミラー材を提供する。【解決手段】本体ケース１４−１の表面または裏面１４−２に、所定面積の金属ミラー材２０または樹脂ミラー材を備える携帯情報端末機器１０であって、金属ミラー材２０または樹脂ミラー材は、貼着またはネジ止めによって、ミラー板材２０を本体ケース１４−１に直接的に取り付ける。携帯情報端末機器１０の利用時に、男性でも抵抗感なくミラーを利用できる。金属ミラー材２０または樹脂ミラー材は、破損の虞れが少なく安全性を保証できる。【選択図】図１
0003197538.tif 000002
【実用新案登録請求の範囲】
【請求項１】
本体ケースの表面または裏面に、所定面積の金属ミラー材または樹脂ミラー材を備える携帯情報端末機器であって、
前記金属ミラー材または樹脂ミラー材は、
貼着またはネジ止めによって、ミラー板材を前記本体ケースに直接的に取り付けることを特徴とする携帯情報端末機器。
【請求項２】
金属ミラー材または樹脂ミラー材は、鏡面に防眩処理を施したものであることを特徴とする請求項１記載の携帯情報端末機器。
【請求項３】
請求項１または請求項２における金属ミラー材または樹脂ミラー材は、
ミラー板材の裏面に粘着材を備え、
当該粘着材を介して携帯情報端末機器の本体ケースに着脱自在に配設可能とするものであることを特徴とする携帯情報端末機器に用いるミラー材。
【考案の詳細な説明】
【技術分野】
【０００１】
本考案は、携帯情報端末機器の本体ケースの構造に関する。
【背景技術】
【０００２】
外出先において、身だしなみを確認する必要がある場合、女性であればコンパクトミラーを使って髪の毛や化粧の状態をチェックすることが多い。一方、男性の場合、多くのひとはコンパクトミラーを持ち歩かないため、気になるときには商談等の前に洗面所の鏡を利用して、髪やネクタイ等の状態を確認するケースが多い。
【０００３】
コンパクトミラーは軽量であるし、近時は金属ミラーを用いた割れにくいものもある。しかしながら、一般的には、男性がコンパクトミラーを外出先に持ち歩くことは少ない。
【０００４】
一方、近時、多くのひとが外出時に携帯する携帯情報端末機器に、装飾用の鏡を配する提案がなされている（特許文献１）。
【０００５】
これは、図５に示すように、ガラス板２で成形した装飾板材１に、小さなガラス玉等の装飾材４と鏡３とを配し、この装飾板材１を、携帯電話機等の裏面に取り付けるものである。鏡３は、例えばガラス板２に銀や銅を蒸着して成形する。
【先行技術文献】
【特許文献】
【０００６】
【特許文献１】特開２０１４−１７５７６７号
【考案の開示】
【考案が解決しようとする課題】
【０００７】
問題は、特許文献１に開示されている鏡（３）は、主として携帯電話機等の本体ケースの装飾を目的とする装飾材（４）の一部材として配置されるものであるため、男性等、ガラスの装飾小球等によって煌びやかに装飾された鏡（３）の使用に抵抗感がある人も少なくない。
【０００８】
また、特許文献１の発明は、ガラス板（２）を使用することが前提となっているので、物理的にも、携帯電話機等をコンクリート地面に落としたときに破損しやすい等、取り扱いが面倒であり、重量もかさむ等の難点がある。
【０００９】
そこで、本考案の目的は、携帯性に優れ、より抵抗感が少ない状態において利用できるミラーを提供することにある。
【課題を解決するための手段】
【００１０】
前記目的を達成するため、請求項１は、本体ケースの表面または裏面に、所定面積の金属ミラー材または樹脂ミラー材を備える携帯情報端末機器であって、前記金属ミラー材または樹脂ミラー材は、貼着またはネジ止めによって、ミラー板材を前記本体ケースに直接的に取り付ける構成とする。
【００１１】
請求項１は、板材に鏡面処理を施したミラー材を、貼着またはネジ止めによって携帯情報端末機器の本体ケースに取り付ける。
【００１２】
ミラー材だけを携帯情報端末機器の本体ケースに配するシンプルな構造なので、前記特許文献１のような装飾性はない一方で、携帯情報端末機器の利用時に、男性でも抵抗感なくミラーを利用できる。
【００１３】
また、ミラー材だけを取り付ける構成であるから、ガラス板を用いる特許文献１と異なり、軽量であって、携帯性に優れる。ミラー材は、金属または樹脂の板材を利用するから、ガラス板を用いる特許文献１の構成と異なり、損壊の問題も生じない。
【００１４】
金属ミラー材または樹脂ミラー材は、鏡面に防眩処理を施したものとする場合がある（請求項２）。
【００１５】
反射率を抑える防眩処理は、製造コストが嵩むが、本考案のように携帯情報端末機器に用いる小面積のものであれば、大きなコスト上昇にはならない。その一方で、外出先でミラーを使用するとき、太陽光を反射させてまわりのひとに迷惑をかける等の迷惑行為を防止できる。またユーザ自身の目を、太陽光の直接反射から護る利点もある。
【００１６】
携帯情報端末機器に用いる請求項１または請求項２記載のミラー材は、ミラー板材の裏面に粘着材を備え、当該粘着材を介して携帯情報端末機器の本体ケースに着脱自在に配設可能とする（請求項３）。
【００１７】
携帯情報端末機器は、本体ケースのサイズ、或いはスイッチ配置やカメラレンズの位置などが頻繁に変更されるが、裏面に粘着材を備えるミラー板材を用いれば、機種変更にも柔軟に対応して、ユーザが使いやすい位置にミラー材を配置することが出来る。
【考案の効果】
【００１８】
本考案によれば、携帯性に優れ、より抵抗感が少ない状態において利用できるミラーをもった携帯情報端末機器、および当該携帯情報端末機器に用いるミラー材を提供することが出来る。
【図面の簡単な説明】
【００１９】
【図１】携帯情報端末機器にミラーを配する状態を例示する第一の実施形態に係る図である。
【図２】図１に示すミラーを携帯情報端末機器に配した状態を例示する図である。
【図３】携帯情報端末機器にミラーを配する状態を例示する第二の実施形態に係る図である。
【図４】図３に示すミラーを携帯情報端末機器に配した状態を例示する図である。
【図５】ミラーを備える従来の携帯情報端末機器を示す図である。
【考案を実施するための形態】
【００２０】
図１、図２は、第一の実施形態に係る携帯情報端末機器を示すものである。
【００２１】
この携帯情報端末機器は、例えば、携帯電話機１０であり、スイッチボタンＢ等を配した操作部本体１２とモニタ部本体１４とを、電気的接続機能を具備した通電ヒンジ１５を介して回動可能に接続し、操作部本体１２とモニタ部本体１４とを開閉可能（折りたたみ可能）に構成したものである。
【００２２】
このような、折りたたみ式の携帯電話機１０の場合、金属ミラーまたは樹脂ミラーであるミラー材２０を配設する場所としては、モニタ部本体１４を構成する本体ケース１４−１の裏面（モニタ画面の裏側）１４−２がある。
【００２３】
モニタ部本体１４を構成する本体ケース１４−１は、通常、樹脂によって成形されるので、ミラー材２０は、本体ケース１４−１の裏面１４−２に、例えば、貼着によって配する。
【００２４】
ミラー材２０の配設位置は、本体ケース１４−１の裏面１４−２の上部（通電ヒンジ１５から離れた位置）に配することが望ましい。携帯電話機１０の使用時には、操作部本体１２の基端部側を握持するから、モニタ部本体１４を裏返してミラー材２０を見るときは、通電ヒンジ１５側にミラー材２０があるよりも、裏面１４−２の上部にミラー材２０がある方が見やすいからである。
【００２５】
ミラー材２０は、好ましくは、金属ミラーを使用する。割れにくく、薄く成形でき、樹脂ミラーに較べて歪みが少ないからである。
【００２６】
ミラー材２０として金属ミラーを使用する場合は、例えば、肉薄のステンレス板材の表面を鏡面研磨処理する一方、裏面に接着剤を配して、本体ケース１４−１の裏面１４−２に貼着する。肉厚は、例えば１〜３ｍｍとすることが出来る。
【００２７】
ミラー材２０の大きさは、いわゆるコンパクトミラーと同程度、好ましくは、コンパクトミラーよりも小さめのサイズに設定する。ミラーの形状を方形とする場合、例えば、長手寸法を５０〜７０ｍｍ、短手寸法を３０〜７０ｍｍとする等である。
【００２８】
ミラー材２０の形状は、方形に限らない。円形、楕円形、五角形以上の多角形、デザイン化した各種の形状、例えばハート型、動物・樹木等の自然・アニメーションキャラクタ・観光名所のシンボル等をモチーフとする各種形状にデザイン化して用いることが出来る。
【００２９】
ミラー材２０の鏡面には、好ましくは防眩処理を施す。太陽光の反射による眩しさを低減させるためである。この場合の防眩処理は、鏡面に金属の薄い皮膜を形成させるメッキ処理が望ましい。製造コストを抑えるためである。
【００３０】
従って、かかる携帯電話機１０によれば、本体ケース１４−１の裏面（モニタ画面の裏側）１４−２にあるミラー材２０を見ることで、外出先でも簡単に身だしなみを確認することが出来る。写メ（写メール；登録商標）を撮る前に、髪型や服装をチェックするときにも便利である。
【００３１】
ミラー材２０は、肉薄のステンレスミラー等の金属ミラーを使用するので、軽量であり、歪みも少なく、割れにくいので危険性もない。また、大きな面積を必要としないので、貼着式のミラー材２０を用いれば、低コストでミラー材２０を実装できる利点がある。
【００３２】
貼着式のミラー材２０は、デザインを工夫することにより、実用品以上の付加価値、例えば、観光みやげ品としての商品価値をもたせることが出来る。例えば、外国人観光客が好むモチーフである富士山、扇子、舞子等にデザインしても、ミラー材２０本来の機能を失わない面積を確保させることが出来るからである。
【００３３】
図３、図４は、他の携帯情報端末機器（いわゆるスマートフォン３０等）にミラー材２０を配する場合を例示する。
【００３４】
この場合、ミラー材２０は、例えば、前記実施形態と同様、鏡面研磨処理を施したステンレス板を利用して、スマートフォン３０の本体ケース３１の裏面３１−２に貼着して設ける。
【００３５】
スマートフォン３０を利用する場合も、上下の区別がある。モニタ画面の上方に配するカメラレンズ（図示せず）のある側が上であり、利用者は、下、つまりカメラレンズの配設位置と逆側を握持して操作を行う。ミラー材２０は、カメラレンズがある側、つまり本体ケース３１の裏面３１−２の上部に配することが望ましい。写メ（写メール；登録商標）を撮る前の操作等が容易になるからである。かかる構成によっても、前記実施形態と同様の効果を得る。
【００３６】
貼着式のミラー材は、鏡面研磨処理を施したステンレスミラーとすることが望ましい。製造コストも低減でき、光学的な反射特性にも優れるからである。割れにくく、歪みもない。
【００３７】
しかしながら、ステンレス以外の金属板の表面にステンレスまたは銀あるいは金を蒸着し、ミラーとすることも出来るので、必ずしも鏡面研磨処理を施した金属板に限らず、各種のミラー板を使用できる。
【００３８】
また、ＡＢＳ樹脂等の樹脂板の表面にステンレス等の金属を蒸着させて鏡面処理を施すこともできる。このため、貼着式のミラー材として、樹脂板に蒸着鏡面処理を施したものも使用できる。簡易ミラーとして、肉薄のシート材（樹脂フィルム等）の表面に金属蒸着を行い、裏面に接着材と剥離紙を配して、いわゆる粘着シール型のミラーとしても良い。
【００３９】
折り畳み式の携帯電話機（１０）の場合は、操作部本体１２のスイッチボタンＢ側にミラー（２０）を配しても良い。とくにスイッチボタンＢまわりの平板部分にミラー（２０）を配すれば、携帯電話機（１０）の操作中にも容易にミラー（２０）による身だしなみの確認が出来る。
【符号の説明】
【００４０】
１０  携帯電話機（携帯情報端末機器）
１２  操作部本体
１４  モニタ部本体
１４−１、３１  本体ケース
１４−２、３１−２  裏面（モニタ画面の裏側）
１５  通電ヒンジ
２０  ミラー材
３０  スマートフォン（携帯情報端末機器）
Ｂ  スイッチボタン
【図１】
0003197538.tif 000003
【図２】
0003197538.tif 000004
【図３】
0003197538.tif 000005
【図４】
0003197538.tif 000006
【図５】
0003197538.tif 000007